(57)【要約】【課題】ミキシング装置においてSN比が低い場合であっても、入力された無音のオーディオ信号を出力するとき、ノイズの発生を防止することができるミキシング装置を提供する。【解決手段】  制御部は、レベル検出部が第１の値未満の信号レベルを連続して検出すると、入力されたオーディオ信号のレベルを減少させるフェードアウトの制御し、続いてオーディオ信号をミューティングする制御し、レベル検出部が第１の値より大きい第２の値以上の信号レベルを検出すると、オーディオ信号のミューティングを停止させる制御をする。【選択図】  図１
2006279194.tif 000002
【特許請求の範囲】
【請求項１】
オーディオ信号を入力する入力部と、前記入力部から入力されたオーディオ信号に信号処理を施す信号処理部と、前記信号処理部により信号処理が施されたオーディオ信号を出力する出力部とを備えたミキシング装置において、
前記入力部から入力されたオーディオ信号の信号レベルを検出するレベル検出部と、
前記レベル検出部が第１の予め定められた値未満の信号レベルを第１の予め定められた時間連続して検出すると、入力されたオーディオ信号の信号レベルを減少させるフェードアウト信号処理を施し、続いてオーディオ信号をミューティングする信号処理を施すように前記信号処理部を制御する制御部を有し、
前記制御部は、オーディオ信号をミューティングする信号処理を施しているとき、前記レベル検出部が第１の予め定められた値より大きい第２の予め定められた値以上の信号レベルを検出すると、前記信号処理部にオーディオ信号をミューティングする信号処理を停止させる制御をすることを特徴とするミキシング装置。
【請求項２】
請求項１記載のミキシング装置において、
前記制御部は、前記信号処理部がオーディオ信号をミューティングする信号処理を施しているとき、前記レベル検出部が第１の予め定められた値以上第２の予め定められた値未満の信号レベルを第２の予め定められた時間連続して検出すると、前記信号処理部にオーディオ信号をミューティングする信号処理を停止させる制御をすることを特徴とするミキシング装置。
【発明の詳細な説明】
【技術分野】
【０００１】
本発明は、オーディオ信号を入力し効果音の生成や２つのオーディオ信号の合成等の信号処理を施しオーディオ信号を出力するミキシング装置に関する。
【背景技術】
【０００２】
従来のミキシング装置は、入力されたオーディオ信号の出力レベルを調整するチャンネルフェーダや入力された２つのオーディオ信号を合成する際の合成比率を調整するクロスフェーダを備えている（例えば、特許文献１参照）。
【０００３】
このようなミキシング装置において、エコー等の効果音を生成する信号処理をするために、接続されたCD（Compact Disc）プレーヤやアナログレコードプレーヤ等の再生装置から入力されたアナログオーディオ信号をデジタルオーディオ信号に変換するADC（Analog to Digital Converter）、デジタルオーディオ信号をアナログオーディオ信号に変換するDAC（Digital to Analog Converter）を備えたデジタルミキシング装置がある。
【０００４】
このようなADCやDACを備えたミキシング装置において、信号とノイズの比率を示すSN比（Signal to Noise ratio）は、DACの性能が悪いと低くなる。また、ミキシング装置から入出力されるアナログオーディオ信号に外部からノイズが混入すると、SN比が低くなる。このため、接続された再生装置から無音のオーディオ信号が入力されても、ミキシング装置からはノイズが出力されてしまう問題があった。このような問題を解決するため、従来のミキシング装置では、予め定められた値以下のレベルのオーディオ信号が入力されると無音のオーディオ信号と判別し、当該オーディオ信号を減衰するミューティングの信号処理を施していた。
【０００５】
【特許文献１】特開平５−２９１８３９号公報
【発明の開示】
【発明が解決しようとする課題】
【０００６】
図４は、従来のミキシング装置から出力したオーディオ信号の波形を説明する図である。図４（ａ）は、予め定められた値以下のオーディオ信号にミューティングの信号処理を施さずに出力したオーディオ信号の波形を示し、図４（ｂ）は、予め定められた値以下のオーディオ信号にミューティングの信号処理を施したオーディオ信号の波形を示す。図４において、−７８ｄＢ以下のオーディオ信号を無音のオーディオ信号として説明する。
【０００７】
図４（ａ）に示すように、従来のミキシング装置においてSN比が低い場合、−７８ｄＢ以下である区間Ａのオーディオ信号はノイズとなって出力される。図４（ｂ）に示すように、従来のミキシング装置が−７８ｄＢ以下のオーディオ信号にミューティングの信号処理を施すと、区間Ａは無音のオーディオ信号となる。しかしながら、上述したDACの性能や外部からのノイズによりSN比が低くなる場合やアナログレコードプレーヤが再生するアナログレコードに傷がある場合などにより、−７８ｄＢ以上の短時間のオーディオ信号（図４（ｂ）に示すＢの箇所）が発生すると、従来のミキシング装置は、図４（ｂ）に示すＢの箇所の−７８ｄＢ以上の短時間のオーディオ信号にミューティングの信号処理を施さない。このため、無音のオーディオ信号中（図４（ｂ）に示す区間Ａ）に、−７８ｄＢ以上の短時間のオーディオ信号が含まれてしまう。
【０００８】
したがって、ミキシング装置から図４（ｂ）に示すオーディオ信号がスピーカから出力されると、無音のオーディオ信号が出力されている最中に、突然、−７８ｄＢ以上の短時間のオーディオ信号（Ｂの箇所のオーディオ信号）が出力される。このため、聴取者は、無音のオーディオ信号中に−７８ｄＢ以上の短時間のオーディオ信号が出力されると、このオーディオ信号をノイズとして聴き取るため、不快に感じる。
【０００９】
本発明は、上記の課題を解決するためになされたものであり、ミキシング装置においてSN比が低い場合であっても、入力された無音のオーディオ信号を出力するとき、ノイズの発生を防止することができるミキシング装置を提供することを目的とする。
【課題を解決するための手段】
【００１０】
上記の課題を解決するために、本願の請求項１記載の発明は、オーディオ信号を入力する入力部と、前記入力部から入力されたオーディオ信号に信号処理を施す信号処理部と、前記信号処理部により信号処理が施されたオーディオ信号を出力する出力部とを備えたミキシング装置において、前記入力部から入力されたオーディオ信号の信号レベルを検出するレベル検出部と、前記レベル検出部が第１の予め定められた値未満の信号レベルを第１の予め定められた時間連続して検出すると、入力されたオーディオ信号の信号レベルを減少させるフェードアウト信号処理を施し、続いてオーディオ信号をミューティングする信号処理を施すように前記信号処理部を制御する制御部を有し、前記制御部は、オーディオ信号をミューティングする信号処理を施しているとき、前記レベル検出部が第１の予め定められた値より大きい第２の予め定められた値以上の信号レベルを検出すると、前記信号処理部にオーディオ信号をミューティングする信号処理を停止させる制御をすることを特徴とする。
【００１１】
また、本願の請求項２記載の発明は、請求項１記載のミキシング装置において、前記制御部は、前記信号処理部がオーディオ信号をミューティングする信号処理を施しているとき、前記レベル検出部が第１の予め定められた値以上第２の予め定められた値未満の信号レベルを第２の予め定められた時間連続して検出すると、前記信号処理部にオーディオ信号をミューティングする信号処理を停止させる制御をすることを特徴とする。
【発明の効果】
【００１２】
本発明によれば、キシング装置においてSN比が低い場合であっても、入力された無音のオーディオ信号を出力するとき、ノイズの発生を防止することができるミキシング装置を提供することができる。
【発明を実施するための最良の形態】
【００１３】
以下、本発明の実施の形態を図面に基づいて説明する。
図１は、本発明の一実施例であるミキシング装置の構成を示すブロック図である。図１において、１は入力部、２はADC、３はDSP（Digital Signal Processor）、４はレベル検出部、５は信号処理部、６はRAM（Random Access Memory）、７はDAC、８は出力部、９は制御部、１０は操作部を示す。
【００１４】
図１に示す入力部１は、アナログオーディオ信号が入力される複数の入力端子を備えている。入力端子は、アナログレコードプレーヤやCDプレーヤ等の再生装置が備えるオーディオ出力端子とケーブルで接続されている。入力部１から入力されたアナログオーディオ信号は、ADC２に入力される。ADC２は、入力されたアナログオーディオ信号をデジタルオーディオ信号に変換しDSP３に出力する。
【００１５】
DSP３は、レベル検出部４及び信号処理部５を備えている。ADC２から入力されたデジタルオーディオ信号は、レベル検出部４及び信号処理部５に入力される。レベル検出部４は、デジタルオーディオ信号の信号レベルを検出し、その検出信号を制御部９に出力する。信号処理部５は、制御部９の制御により、入力されたデジタルオーディオ信号の出力レベルの調整、入力された２つのデジタルオーディオ信号をミキシングする合成比率の調整、後述するRAM６に記録されたデジタルオーディオ信号から効果音を生成する等の信号処理を施す。RAM６は、エコー等の効果音を生成するためのデジタルオーディオ信号を記憶する。
【００１６】
DAC７は、DSP３から入力されたデジタルオーディオ信号をアナログオーディオ信号に変換する。DAC７により変換されたアナログオーディオ信号は、出力部８から出力される。出力されたアナログオーディオ信号は、アンプ等を介してスピーカから出力される。
【００１７】
制御部９は、操作部１０からの操作指示によりDSP３を制御する。また、制御部９は、レベル検出部４から入力された検出信号に基づいて信号処理部５を制御する。操作部１０は、オーディオ信号の出力レベルを調整するチャンネルフェーダや入力した２つのオーディオ信号をミキシングする合成比率を調整するクロスフェーダ、イコライザー調整ノブを備えている。
【００１８】
本実施例のミキシング装置において、レベル検出部４が検出したデジタルオーディオ信号の信号レベルに基づいて、制御部９が信号処理部５を制御する説明をする。制御部９は、レベル検出部４が第１の予め定められた値（例えば、−７８ｄＢ）未満のデジタルオーディオ信号を第１の予め定められた時間（例えば、１００ｍｓ）連続して検出すると、無音のデジタルオーディオ信号であると判別し、信号処理部５にデジタルオーディオ信号の信号レベルを減少させるフェードアウト信号処理をさせる制御をする。本実施例では、フェードアウト時間を１０ｍｓとする。そして、制御部９は、信号処理部５にフェードアウト信号処理をさせた後、デジタルオーディオ信号にミューティングの信号処理をさせる制御をする。
【００１９】
信号処理部５がミューティングの信号処理をしているときに、レベル検出部４が第２の予め定められた値（例えば、−６０ｄＢ）以上のデジタルオーディオ信号を検出すると、制御部９は、有音のデジタルオーディオ信号であると判別し、信号処理部５にミューティングの信号処理を停止させる制御をする。また、信号処理部５がミューティングの信号処理をしているときに、レベル検出部４が−７８ｄＢ以上−６０ｄＢ未満のデジタルオーディオ信号を第２の予め定められた時間（例えば、１ｍｓ）連続して検出すると、制御部９は、有音のデジタルオーディオ信号であると判別し、信号処理部５にミューティングの信号処理を停止させる制御をする。
【００２０】
本実施例のミキシング装置では、有音のデジタルオーディオ信号であるか否かを判別するために、上述したデジタルオーディオ信号のレベル及びレベル検出部４の検出時間を定めたが、ユーザによってデジタルオーディオ信号のレベル及びレベル検出部４の検出時間を設定することができるようにしても良い。
【００２１】
図２は、レベル検出部４が検出したレベルに基づいて、制御部９が信号処理部５にする制御を説明するフローチャートである。
【００２２】
図３は、本実施例のミキシング装置から出力したオーディオ信号の波形を説明する図である。図３（ａ）は、オーディオ信号にフェードアウト及びミューティングの信号処理を施さずに出力したオーディオ信号の波形を示し、図３（ｂ）は、オーディオ信号にフェードアウト及びミューティングの信号処理を施したオーディオ信号の波形を示す。図３（ａ）は、上述した図４（ａ）と同じ図であるため説明を省略する。
【００２３】
図２に示すステップＳ１は、レベル検出部４がDSP３に入力されたデジタルオーディオ信号の信号レベルを検出するステップである。レベル検出部４は、デジタルオーディオ信号の信号レベルを示す検出信号を制御部９に出力する。
【００２４】
ステップ２は、レベル検出部４により検出されたデジタルオーディオ信号の信号レベルが−７８ｄＢ未満であるか否かを制御部９が判別するステップである。制御部９は、レベル検出部４から入力された検出信号から、デジタルオーディオ信号のレベルが−７８ｄＢ未満であるか否かを判別する。デジタルオーディオ信号の信号レベルが−７８ｄＢ未満である場合は、ステップＳ３に進む。
【００２５】
ステップＳ３は、レベル検出部４が−７８ｄＢ未満のオーディオ信号を１００ｍｓの時間連続して検出したか否かを制御部９が判別するステップである。図３（ｂ）に示す区間Ｃのように、１００ｍｓの時間連続して−７８ｄＢ未満のオーディオ信号を検出した場合は、ステップＳ４に進む。１００ｍｓの時間連続して−７８ｄＢ未満のオーディオ信号を検出しない場合は、ステップＳ２に戻る。
【００２６】
ステップ４は、制御部９が信号処理部５にデジタルオーディオ信号の信号レベルを減少させるフェードアウト信号処理をさせる制御をするステップである。図３（ｂ）に示す区間Ｄのように、信号処理部５は、制御部９の制御により、入力されたデジタルオーディオ信号の信号レベルを減衰させるフェードアウト信号処理を１０ｍｓの処理時間で施す。
【００２７】
ステップ５は、制御部９が信号処理部５にデジタルオーディオ信号をミューティングする信号処理をさせる制御をするステップである。信号処理部５は、制御部９の制御により、１０ｍｓの処理時間でフェードアウト信号処理をした後、図３（ｂ）に示す区間Ｅのように、入力されたデジタルオーディオ信号をゼロ信号にするミューティングの信号処理を施す。
【００２８】
ステップ６は、レベル検出部４により検出されたデジタルオーディオ信号の信号レベルが−６０ｄＢ以上であるか否かを制御部９が判別するステップである。制御部９は、レベル検出部４から入力された検出信号から、デジタルオーディオ信号の信号レベルが−６０ｄＢ以上であるか否かを判別する。デジタルオーディオ信号のレベルが−６０ｄＢ以上である場合は、ステップＳ９に進む。デジタルオーディオ信号の信号レベルが−６０ｄＢ未満である場合は、ステップＳ７に進む。
【００２９】
ステップＳ７は、ステップ６においてレベル検出部４により検出されたデジタルオーディオ信号の信号レベルが−７８ｄＢ以上であるか否かを制御部９が判別するステップである。制御部９は、ステップ６においてレベル検出部４により検出されたデジタルオーディオ信号の信号レベルが−７８ｄＢ以上であるか否か、すなわち、−７８ｄＢ以上−６０ｄＢ未満であるか否かを判別する。デジタルオーディオ信号の信号レベルが−７８ｄＢ以上−６０ｄＢ未満である場合は、ステップＳ８に進む。デジタルオーディオ信号の信号レベルが−７８ｄＢ未満である場合は、ステップＳ５に戻る。
【００３０】
ステップＳ８は、レベル検出部４が−７８ｄＢ以上−６０ｄＢ未満のデジタルオーディオ信号を１ｍｓの時間連続して検出したか否かを制御部９が判別するステップである。−７８ｄＢ以上−６０ｄＢ未満のデジタルオーディオ信号を１ｍｓの時間連続して検出した場合は、ステップＳ９に進む。−７８ｄＢ以上−６０ｄＢ未満のデジタルオーディオ信号を１ｍｓの時間連続して検出しない場合は、ステップＳ５に戻る。
【００３１】
ステップＳ９は、制御部９が信号処理部５にミューティングの信号処理を停止させる制御をするステップである。図３（ｂ）に示す区間Ｆのように、信号処理部５は、１ｍｓの時間連続した−７８ｄＢ以上−６０ｄＢ未満のオーディオ信号にミューティングの信号処理を施した後、制御部９の制御によりミューティングの信号処理を停止する。また、図３（ｂ）に示す区間Ｈのように、信号処理部５は、レベル検出部４が−６０ｄＢ以上のデジタルオーディオ信号を検出すると、制御部９の制御によりミューティングの信号処理を停止する。
ステップＳ１０は、ステップ１に戻るステップである。
【００３２】
図３（ｂ）に示す区間Ａにおいて、区間Ｃのオーディオ信号は、１００ｍｓの時間連続した−７８ｄＢ未満のオーディオ信号である。この区間Ｃにおける制御部９の制御は、上述した図２に示すフローチャートのステップＳ２及びステップＳ３の制御である。区間Ｄのオーディオ信号は、１０ｍｓの処理時間でフェードアウト信号処理が施されたオーディオ信号である。この区間Ｄにおける制御部９の制御は、上述した図２に示すフローチャートのステップＳ４の制御である。
【００３３】
区間Ｅのオーディオ信号は、ミューティングの信号処理が施されたオーディオ信号である。この区間Ｅにおける制御部９の制御は、上述した図２に示すフローチャートのステップＳ５の制御である。ここで、フェードアウトを行なわずにミューティングの信号処理を行なうと、ミューティングの信号処理を始めたときに、ポップノイズのようなノイズが発生する虞がある。このため、本実施例のミキシング装置は、フェードアウトをした後、ミューティングの信号処理をするので、聴取者にとって違和感無くオーディオ信号をミューティングすることができる。
【００３４】
また、区間Ｆのオーディオ信号は、１ｍｓの時間連続した−７８ｄＢ以上−６０ｄＢ未満のオーディオ信号にミューティングの信号処理が施されたオーディオ信号である。この区間Ｆにおける制御部９の制御は、上述した図２に示すフローチャートのステップＳ７及びステップＳ８の制御である。
【００３５】
区間Ｇのオーディオ信号は、信号処理部５がミューティングの信号処理を停止した後の−７８ｄＢ以上のオーディオ信号である。この区間Ｇのオーディオ信号には、信号処理部５によるフェードアウト及びミューティングの信号処理が施されていないオーディオ信号である。この区間Ｇにおける制御部９の制御は、上述した図２に示すフローチャートのステップＳ９の制御である。本実施例のミキシング装置は、−７８ｄＢ以上−６０ｄＢ未満のオーディオ信号が１ｍｓの時間連続して検出すると、無音のオーディオ信号から有音のオーディオ信号になると判別する。
【００３６】
区間Ｈのオーディオ信号は、信号処理部５がミューティングの信号処理を停止した後の−６０ｄＢ以上のオーディオ信号である。この区間Ｈのオーディオ信号には、信号処理部５によるフェードアウト及びミューティングの信号処理が施されていないオーディオ信号である。この区間Ｈにおける制御部９の制御は、上述した図２に示すフローチャートのステップＳ６及びステップＳ９の制御である。本実施例のミキシング装置は、−７８ｄＢ未満のオーディオ信号から−６０ｄＢ以上のオーディオ信号を検出すると、無音のオーディオ信号から有音のオーディオ信号になると判別し、ミューティングの信号処理を停止するので、−６０ｄＢ以上のオーディオ信号の先頭部を欠くことを防ぐことができる。
【図面の簡単な説明】
【００３７】
【図１】本発明の実施例であるミキシング装置の構成を示すブロック図。
【図２】制御部が信号処理部にする制御を説明するフローチャート。
【図３】本実施例のミキシング装置から出力したオーディオ信号の波形を示す図。
【図４】従来のミキシング装置から出力したオーディオ信号の波形を示す図。
【符号の説明】
【００３８】
１…入力部、２…ADC、３…DSP、４…レベル検出部、５…信号処理部、６…RAM、７…DAC、８…出力部、９…制御部、１０…操作部
【図１】
2006279194.tif 000003
【図２】
2006279194.tif 000004
【図３】
2006279194.tif 000005
【図４】
2006279194.tif 000006